(57)【要約】【課題】侵入者検知システム機能を低コストに付加でき、リビングルーム等から侵入する侵入者の姿を捉える確率が高く、かつ侵入者の検知レベルを変更できる侵入者検知レベル変更可能テレビ受像機を提供することである。【解決手段】侵入者検知レベル変更可能テレビ受像機１０は、テレビ受像機に配設または接続して設けられて侵入者検知動作を行うものであって、複数のセキュリティレベルに応じた侵入者検知動作を行うことが可能な侵入者検出部１３Ａと、チューナ１２で受信した放送画像の表示のほかに当該テレビ受像機が置かれた空間内で前記侵入者検出部にて検出された侵入者の写真または動画を表示する表示部１６と、前記侵入者の写真または動画を記録する記録部１５と、を具備する。【選択図】図１
2012248100.tif 000002
【特許請求の範囲】
【請求項１】
テレビ受像機に配設または接続して設けられて侵入者検知動作を行うものであって、複数のセキュリティレベルに応じた侵入者検知動作を行うことが可能な侵入者検出部と、
チューナで受信した放送画像の表示のほかに当該テレビ受像機が置かれた空間内で前記侵入者検出部にて検出された侵入者の写真または動画を表示する表示部と、
前記侵入者の写真または動画を記録する記録部と、
を具備したことを特徴とする侵入者検知レベル変更可能テレビ受像機。
【請求項２】
前記侵入者検出部は、当該テレビ受像機の使用者が前記複数のセキュリティレベルのいずれかを設定するための設定部を備え、該設定部で設定されたセキュリティレベルに応じて、前記侵入者の検出内容を変更可能であることを特徴とする請求項１に記載の侵入者検知レベル変更可能テレビ受像機。
【請求項３】
前記侵入の検出内容は、
第１のセキュリティレベルが設定されているときは、人感センサが移動物を感知した場合に、前記移動物の写真または動画を前記記録部に記録し、
第２のセキュリティレベルが設定されているときは、カメラで撮像した動画の動き検出を行い該動き検出有りの場合に、前記移動物の写真または動画を前記記録部に記録し、
第３のセキュリティレベルが設定されているときは、カメラで撮像した写真または動画に基づいて、前記使用者の登録した顔情報と移動物の顔情報とが顔認識部で一致しない場合に、前記移動物の写真または動画を前記記録部に記録する
ことを特徴とする請求項２に記載の侵入者検知レベル変更可能テレビ受像機。
【請求項４】
前記侵入者検出部は、メールの通知先を登録する登録部を備え、前記記録部に記録した写真または動画を、前記通知先に送信することを特徴とする請求項１に記載の侵入者検知レベル変更可能テレビ受像機。
【請求項５】
前記侵入者検出部の侵入者検知動作を解除可能にする操作部を、
更に具備したことを特徴とする請求項１に記載の侵入者検知レベル変更可能テレビ受像機。
【請求項６】
前記侵入者検出部は、
前記顔認識部が前記使用者の顔を認識したら、自動的に侵入者検知動作を解除する解除部を、
更に具備したことを特徴とする請求項３に記載の侵入者検知レベル変更可能テレビ受像機。
【発明の詳細な説明】
【技術分野】
【０００１】
本発明の実施形態は、侵入者検知レベルを変えることができる侵入者検知レベル変更可能テレビ受像機に関する。
【背景技術】
【０００２】
建物や室内への侵入者を検知したり、或いは侵入者を検知し通報するシステムを構築するには、専用の防犯カメラや録画システムが必要であり、コスト的には高価なものとなる。
【０００３】
単純な構成のシステムでは、人などの移動物がカメラ前方の一定距離内に近づいてきたら録画を開始するなど記録機能が動作するものがある。
【０００４】
また、侵入者は、玄関口付近よりも、リビング等から侵入することの方が多く、玄関口付近に設置された防犯カメラやドアホン等の録画機能よりも、侵入者の姿を捉える確率が高くなる。専用の防犯カメラや録画システムを構築する場合、防犯カメラやドアホンは高いコストがかかる上、侵入者に警戒されやすく、侵入者の姿を捉えにくい。
【先行技術文献】
【特許文献】
【０００５】
【特許文献１】特開平７−１１４６７８号公報
【特許文献２】特開平９−２５２４６７号公報
【特許文献３】特開平７−２２２２０８号公報
【発明の概要】
【発明が解決しようとする課題】
【０００６】
本発明が解決しようとする課題は、侵入者検知システム機能を低コストに付加することができ、リビングルーム等から侵入する侵入者の姿を捉える確率が高く、しかも侵入者の検知段階(以下、検知レベル)を変更することができる侵入者検知レベル変更可能テレビ受像機を提供することである。
【課題を解決するための手段】
【０００７】
本発明の実施形態の侵入者検知レベル変更可能テレビ受像機は、テレビ受像機に配設または接続して設けられて侵入者検知動作を行うものであって、複数のセキュリティレベルに応じた侵入者検知動作を行うことが可能な侵入者検出部と、チューナで受信した放送画像の表示のほかに当該テレビ受像機が置かれた空間内で前記侵入者検出部にて検出された侵入者の写真または動画を表示する表示部と、前記侵入者の写真または動画を記録する記録部と、を具備したものである。
【図面の簡単な説明】
【０００８】
【図１】本発明の実施形態の一実施形態の侵入者検知レベル変更可能テレビ受像機の概略構成図である。
【図２】図１のテレビ受像機における、侵入者検知動作時の初期設定処理のフローチャートである。
【図３】図１のテレビ受像機における、侵入者検知動作時の侵入者検知動作処理のフローチャートである。
【発明を実施するための形態】
【０００９】
以下、本発明の実施の形態について図面を参照して詳細に説明する。  
図１は本発明の実施形態の一実施形態の侵入者検知レベル変更可能テレビ受像機の概略構成図である。
【００１０】
図１において、侵入者検知レベル変更可能テレビ受像機１０は、アンテナ１１と、受信部であるチューナ１２と、処理部としてのＳｏＣ(System-on-a-Chipの略)１３と、ネットワーク接続端子であるイーサネット(登録商標)コネクタ１４と、記録部としての不揮発性メモリ１５と、表示部であるモニタ１６と、撮像部であるカメラ１７と、人感センサ１８と、を備えている。ＳｏＣ１３は、侵入者検出部１３Ａを備えている。なお、カメラ１７と人感センサ１８とは、図１ではモニタ１６上に配置されているが、モニタ１６から離間した別体として配置されていてもよい。ただし、カメラ１７と人感センサ１８は、それぞれの出力ラインがＳｏＣ１３に電気的に接続される。
【００１１】
チューナ１２は、アンテナ１１からのデジタルテレビ放送を受信し所望のテレビ放送を選択して復調処理する受信回路である。  
カメラ１７は、ＣＣＤ等の撮像素子を備え、写真(静止画)又は動画を撮像することが可能である。
【００１２】
ＳｏＣ１３は、マイクロプロセッサを中心に各種のコントローラやメモリなどを１つの半導体チップ上に集積したものであり、通常の視聴動作時は、チューナ１２で選局された所望のチャンネルの放送信号を復調及び復号処理してモニタ１６へ送る。またＳｏＣ１３は、侵入者検知動作時は、カメラ１７で撮像した写真(静止画)又は動画を信号処理して不揮発性メモリ１５に記憶したり、モニタ１６に表示させたり、またはメールに添付するなどしてイーサネット(登録商標)コネクタ１４へ送出したりする。なお、ＳｏＣ１３は、侵入者検知動作における初期設定項目(セキュリティレベル、予め決めた移動物の顔情報、メール通知の有効無効、メールの通知先)を登録する機能も備えている。
【００１３】
ＳｏＣ１３には、チューナ１２からの放送信号、人感センサからの感知信号、及びカメラ１７からの撮像信号が入力され、、これらの信号を用いて表示用，記録用及び制御用の信号を生成する。
【００１４】
ＳｏＣ１３に含まれる侵入者検出部１３Ａは、テレビ受像機１０に配設または接続して設けられて侵入者検知動作を行うものであって、複数のセキュリティレベルに応じた侵入者検知動作を行うことが可能となっている。侵入者検出部１３Ａは、テレビ受像機１０の使用者が複数のセキュリティレベルのいずれかを設定するための設定部を備え、その設定部で設定されたセキュリティレベルに応じて、侵入者の検出内容(検出の精度や方法)を変更可能である。
【００１５】
侵入の検出内容については、例えば、第１のセキュリティレベルが設定されているときは、人感センサ１８が移動物を感知した場合に、その移動物の写真または動画を不揮発性メモリ１５に記録し、 第２のセキュリティレベルが設定されているときは、カメラ１８で撮像した動画の動き検出を行い該動き検出有りの場合に、不揮発性メモリ１５の写真または動画を不揮発性メモリ１５に記録し、第３のセキュリティレベルが設定されているときは、カメラ１８で撮像した写真または動画に基づいて、前記使用者の登録されている顔情報と移動物の顔情報とが顔認識部で一致しない場合に、不揮発性メモリ１５の写真または動画を不揮発性メモリ１５に記録する。
【００１６】
侵入者検出部１３Ａは、メールの通知先を登録する登録部を備え、不揮発性メモリ１５に記録した写真または動画を、前記通知先に送信する。  
モニタ１６は、液晶ディスプレイやプラズマディスプレイ等の表示装置が用いられる。モニタ１６は、通常の視聴動作時はその画面上にチューナ１２からの放送画像を表示し、侵入者検知動作時はその画面上にテレビ受像機１０が置かれた空間内で前記侵入者検出部１３Ａにて検出された、換言すればカメラ１７から出力された侵入者等の移動物の写真(静止画)又は動画を表示する。
【００１７】
人感センサ１８は、熱線(赤外線)を発生する物体(人や動物)の移動(変化)を感知するものである。警備用、監視用として用いて、侵入者を検知することが可能である。
【００１８】
以上の構成により、侵入者検知動作時は、カメラ１７、または人感センサ１８によって感知した対象物(侵入者)の検知等の処理をＳｏＣ１３にて行い、侵入者等の静止画や動画を不揮発性メモリ１５にに保持する。侵入者等の静止画や動画を、使用者に対してメール等で通知する場合は、イーサネット(登録商標)コネクタ１４に接続された図示しないネットワークを介して行う。イーサネット(登録商標)コネクタ１４に代えて、無線ＬＡＮ接続を可能とするコネクタであってもよい。
【００１９】
次に、図１のテレビ受像機における侵入者検知動作を、図２及び図３を参照しながら説明する。  
まず、図２のフローチャートを参照して、侵入者検知動作における初期設定処理を説明する。初期設定処理とは、セキュリティレベル、使用者の顔情報、メール通知の有効無効、メールの通知先(メールアドレス)の設定を、図１のテレビ受像機１０に登録するための処理である。
【００２０】
まず、使用者が、侵入者検知方法を必要に応じて変更するため、セキュリティレベルを設定する(ステップＳ1)。ここでは、セキュリティレベルをレベル１〜３の３種類に分けている。レベル１は、人感センサ１８による赤外線を発生する物体(人や動物)の移動(変化)を感知するレベルであり、レベル２はカメラ１７で撮像した動画に基づく動き検出により移動物を検知するレベルである。また、レベル３は予め決めた人物に対して行う個人認証を前提とした検知レベルであって、カメラ１７で撮像した主に写真(静止画)に基づく顔認識を取り入れたものである。
【００２１】
使用者が、テレビ受像機１０に接続したカメラ１７の前で、顔情報を登録する（ステップＳ2）。家族や親類縁者などが顔登録の主な対象となる。  
登録する使用者が１人の場合は登録を終了し(ステップＳ3)、複数人の場合は、登録可能人数の上限まで、顔情報の登録を繰り返す（ステップＳ4）。  
侵入者を検知したときのメール通知動作を有効にするか無効にするかを設定する(ステップＳ5)。メール通知動作を有効にした場合は、侵入者検知時の通知先を登録する（ステップＳ6）。
【００２２】
図３は、侵入者検知動作時の侵入者検知動作処理のフローチャートである。  
テレビ受像機１０のモニタ１６の一面などに侵入者検知動作を解除又は設定する操作部としてのボタン(図示略)が配設してあるものとして説明する。  
まず、侵入者検知動作を解除した場合は、通常のテレビ視聴動作、または待機状態に移行する（ステップＳ11）。侵入者検知動作を解除していない場合は、ステップＳ１２へ移行する。
【００２３】
ステップＳ１２では、図２で使用者が初期設定時に選択したセキュリティレベル１〜３に応じて３つの動作のいずれか１つの動作となる。  
セキュリティレベル１が選択された場合は、人感センサ１８が感知したら、対象物の写真(静止画)または動画を不揮発性メモリ１５に保持する(ステップＳ13)。  
セキュリティレベル２が選択された場合は、カメラ１７による撮像動作に基づいて移動物を検知したら、その移動物の写真または動画を不揮発性メモリ１５に保持する(ステップＳ14)。
【００２４】
セキュリティレベル３が選択された場合は、カメラ１７による撮像動作に基づいて移動物を検知したら、移動物の顔検出を行い、図２にて登録した使用者の顔情報と、移動物の顔とを照合して、使用者の顔情報と一致しない場合は、写真または動画を不揮発性メモリ１５に保持する(ステップＳ15)。  
そして、使用者が初期設定時にメール通知動作を有効にしていたかを確認し(ステップＳ16)、メール通知動作を有効にしていた場合は、不揮発性メモリ１５に保持した写真または動画を、図２にて登録したメールアドレス等の通知先に通知する(ステップＳ17)。
【００２５】
なお、以上述べた侵入者検知に関わる機能の他にも、使用者の顔を検出したら自動的に侵入者検知(防犯)機能を解除する、といった、顔認識を応用した機能を更に付加することも可能である。
【００２６】
本発明の一実施形態によれば、既存のテレビ受像機に、侵入者検知システム機能を低コストで付加することができ、使用者の必要に応じてセキュリティレベルを設定することができる。具体的には、カメラや大容量の不揮発性メモリを内蔵したテレビ受像機であれば、さらに人感センサを取り付けて、本発明の実施形態の機能を実装することで実現可能である。また、カメラや大容量の不揮発性メモリを内蔵していないテレビ受像機であれば、外付けで付加することで実現することも可能である。
【００２７】
また、侵入者は、玄関口付近よりも、リビングルーム等から侵入することの方が多く、玄関口付近に設置された防犯カメラやドアホン等の録画機能よりも、侵入者の姿を捉える確率が高くなるという効果を得ることができる。
【００２８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２９】
１０…侵入者検知レベル変更可能テレビ受像機、１２…チューナ(受信部)、１３…ＳｏＣ(処理部)、１３Ａ…侵入者検出部、１４…イーサネット(登録商標)コネクタ(ネットワーク接続端子)、１５…不揮発性メモリ(記録部)、１６…モニタ(表示部)、１７…カメラ(撮像部)、１８…人感センサ。
【図１】
2012248100.tif 000003
【図２】
2012248100.tif 000004
【図３】
2012248100.tif 000005